(57)【特許請求の範囲】
【請求項１】
安全装置と、爆発薬と、この爆発薬を収容する筒体と、前記爆発薬を点火する点火構成部と、前記筒体を収容して前記点火構成部に取り付けられる弾殻部とを備え、前記弾殻部は、無数の光放出孔を有するとともに、前記爆発薬の燃焼により破断しない耐力を有し、かつ、防湿フイルムで覆われていることを特徴とするスタングレネード。
【請求項２】
請求項１記載のスタングレネードにおいて、前記弾殻部は、金網製であり、かつ、側周面が爆発薬の燃焼により外側方向へ変形するように構成されていることを特徴とするスタングレネード。
【請求項３】
安全装置と、爆発薬と、この爆発薬を収容する筒体と、前記爆発薬を点火する点火構成部と、前記筒体を収容して前記点火構成部に取り付けられる金網製の弾殻部とを備え、前記弾殻部は、無数の光放出孔を有するとともに、前記爆発薬の燃焼により破断しない耐力を有し、その側周面が爆発薬の燃焼により外側方向へ変形するように構成され、かつ防湿フイルムで覆われていることを特徴とするスタングレネード。
【請求項４】
請求項１ないし請求項３の何れか記載のスタングレネードにおいて、前記爆発薬とは、発音薬と発光薬とを有することを特徴とするスタングレネード。
【請求項５】
請求項４記載のスタングレネードにおいて、前記発音薬と前記発光薬は、隣接して配置されていることを特徴とするスタングレネード。
【請求項６】
請求項１ないし請求項３の何れか記載のスタングレネードにおいて、前記爆発薬は、発音薬であることを特徴とするスタングレネード。
【請求項７】
請求項１ないし請求項３の何れか記載のスタングレネードにおいて、前記爆発薬は、紛状の発音薬と錠剤状の発光薬との混合物であることを特徴とするスタングレネード。
【請求項８】
請求項１ないし請求項３の何れか記載のスタングレネードにおいて、前記点火構成部は、雷管部と、延期薬を収容して前記雷管部に隣接して配置される延期薬部と、前記爆発薬を着火させる着火薬を収容する一端が開口する有底の筒状体から成る着火薬筒と、この着火薬筒を収容する一端が開口する有底の筒状体から成る中筒とで構成され、前記着火薬筒は、前記着火薬の燃焼炎を噴出し前記爆発薬へ伝火させる着火孔を外周側面に設け、前記中筒は、前記着火薬の火炎を通過させ爆発薬に伝火させる着火孔を外周側面に設けていることを特徴とするスタングレネード。
【請求項９】
請求項８記載のスタングレネードにおいて、前記着火薬筒の着火孔と前記中筒の着火孔は、着火孔覆い部材で封止されていることを特徴とするスタングレネード。
【請求項１０】
請求項１ないし請求項３の何れか記載のスタングレネードにおいて、前記筒体の底部には、外周が筒体の内周側面に当接し、中央部に前記中筒の底部側外周を挿入することのできる領域を有するスペーサが配置されていることを特徴とするスタングレネード。
【請求項１１】
請求項１ないし請求項３の何れか記載のスタングレネードにおいて、前記点火構成部は、雷管部と、延期薬を収容して雷管部に隣接して配置されるとともに着火薬筒側の外側壁に凹部を形成して成る延期薬部と、この延期薬部に組み付けられるとともに前記爆発薬を着火させる着火薬を収容する着火薬筒とで構成され、前記着火薬筒は、一端部内に前記延期薬部の凹部側を挿入するとともに、該凹部との重合部が固定されていることを特徴とするスタングレネード。
【発明の詳細な説明】
【０００１】
【発明の属する技術分野】
本発明は、暴徒の鎮圧、犯罪行為あるいはテロ行為等の制圧に使用されるスタングレネードに関するものである。
【０００２】
【従来の技術】
従来、スタングレネードは、暴徒の鎮圧、テロ行為、犯罪行為、不審船の警告等の際に、爆発音と閃光を発して、これらの行為を制圧または警告するために用いられている。
例えば、室内に人質等を拘束して立て籠もっている暴徒の制圧にスタングレネードを用いる場合は、スタングレネードを室内に投げ込んだ後、瞬時の時間遅れで室内で爆発させ、その爆発によって発生する強烈な爆発音と閃光で暴徒が一時的に感覚を麻痺している間に暴徒を制圧すると同時に、人質等を開放する。
【０００３】
このように、スタングレネードは、爆発によって発生する強烈な爆発音と閃光を発するものであるから、爆発時に爆発薬から発生する爆風、弾殻部（ボディ）からの飛散物あるいはスタングレネード自体が弾け飛ぶこと等によって、人質や暴徒に肉体的な損傷を与えないように安全性の対策が講じられている。
このため、弾殻部はプラスチック製、厚紙製またはラバー製等で構成されているものがある。
【０００４】
また、米国特許第５，６５４，５２３号明細書において開示されているスタングレネードは、円筒状のボディ（１４）と、ベース（２４）と、爆破薬を収容したカートリッジ（２２）と、このカートリッジに係止するカバー（３４）とから構成されており、ベース（２４）およびカバー（３４）には、放出孔（３０，４０）が設けられている。
【０００５】
このため、爆発薬から発生するエネルギーは、この放出孔（３０，４０）から放出されるので、ボディ（１４）等からの破片の形成、ベース（２４）、カバー（３４）の飛散等は防止される構造となっている。
ここで、爆発薬とは、音を発する発音薬、閃光を発する発光薬、あるいは発音薬と発光薬との混合薬をいう。また、発音薬は、発音に付随して光も発し、発光薬は、発光に付随して音も発する。
【０００６】
【発明が解決しようとする課題】
しかしながら、上述したプラスチック製の弾殻部やラバー製の弾殻部では、爆発薬が燃焼した際に、弾殻部が破壊し破片化して周囲に飛翔するため、場合によっては、破片によって人体に肉体的損傷を加わえる可能性がある。
また、厚紙等で構成されている弾殻部の場合、厚紙自体は金属より比較的安全であるが、点火手段を構成している雷管、信管、起爆管等は金属部品であるため、厚紙に組み付けている金属部品が爆発薬の燃焼によって分離破片化する可能性が大きい。
【０００７】
一方、米国特許第５，６５４，５２３号明細書に記載されたスタングレネードは、爆発薬の燃焼の際に弾殻部が破損しない堅牢な構造となっているので、弾殻部自体は破断（破片化）しないし、また、音（爆発音）・光（閃光）の放出孔の位置が弾殻部頭部側（雷管部側）と弾殻部底部側に形成されているので、爆発薬の燃焼圧力による推力は軽減され弾け飛ぶことは少ない。
【０００８】
しかし、このスタングレネードは、あらゆる状況下で使用されるものであり、例えば、用いる場所の状態によっては一側の放出孔が塞がれた状態で爆発薬が燃焼する可能性も考えられ、その場合、推力が発生し弾け飛ぶおそれがある。
また、爆発薬はその性質上瞬時に反応するため、発光のピーク強度はきわめて高いが瞬時に終了してしまい、発光の持続時間が短いという問題点があった。
【０００９】
本発明はかかる問題点を解決するためになされたもので、その目的は、爆発薬の燃焼により弾殻部自体が破片化されず、弾殻部が爆発薬の装填されている中筒等の構成部品の破片を外へ飛散させることがなく、かつ弾殻部に組み付ける点火構成品を分離飛散させないスタングレネードを提供することにある。
また、本発明の他の目的は、爆発薬の燃焼により、スタングレネード構成品自体が、人体へ肉体的損傷を与えるような状態で弾け飛ぶおそれがないスタングレネードを提供することにある。
【００１０】
また、本発明の他の目的は、発生する光の放出領域を従来より広い面積に形成するスタングレネードを提供することにある。
また、本発明の他の目的は、発光（閃光）の持続時間を従来より長くできるスタングレネードを提供することにある。
また、本発明の他の目的は、従来より軽量化が図れるスタングレネードを提供することにある。
【００１１】
【課題を解決するための手段】
請求項１に係る発明は、安全装置と、爆発薬と、この爆発薬を収容する筒体と、前記爆発薬を点火する点火構成部と、前記筒体を収容して前記点火構成部に取り付けられる弾殻部とを備え、前記弾殻部は、無数の光放出孔を有するとともに、前記爆発薬の燃焼により破断しない耐力を有し、かつ、防湿フイルムで覆われていることを特徴とする。
請求項２に係る発明は、請求項１記載のスタングレネードにおいて、前記弾殻部は、金網製であり、かつ、側周面が爆発薬の燃焼により外側方向へ変形するように構成されていることを特徴とする。
【００１２】
請求項３に係る発明は、安全装置と、爆発薬と、この爆発薬を収容する筒体と、前記爆発薬を点火する点火構成部と、前記筒体を収容して前記点火構成部に取り付けられる金網製の弾殻部とを備え、前記弾殻部は、無数の光放出孔を有するとともに、前記爆発薬の燃焼により破断しない耐力を有し、その側周面が爆発薬の燃焼により外側方向へ変形するように構成され、かつ防湿フイルムで覆われていることを特徴とする。
請求項４に係る発明は、請求項１ないし請求項３の何れか記載のスタングレネードにおいて、前記爆発薬とは、発音薬と発光薬とを有することを特徴とする。
請求項５に係る発明は、請求項４記載のスタングレネードにおいて、前記発音薬と前記発光薬は、隣接して配置されていることを特徴とする。
【００１３】
請求項６に係る発明は、請求項１ないし請求項３の何れか記載のスタングレネードにおいて、前記爆発薬は、発音薬であることを特徴とする。
請求項７に係る発明は、請求項１ないし請求項３の何れか記載のスタングレネードにおいて、前記爆発薬は、紛状の発音薬と錠剤状の発光薬との混合物であることを特徴とする。
請求項８に係る発明は、請求項１ないし請求項３の何れか記載のスタングレネードにおいて、前記点火構成部は、雷管部と、延期薬を収容して前記雷管部に隣接して配置される延期薬部と、前記爆発薬を着火させる着火薬を収容する一端が開口する有底の筒状体から成る着火薬筒と、この着火薬筒を収容する一端が開口する有底の筒状体から成る中筒とで構成され、前記着火薬筒は、前記着火薬の燃焼炎を噴出し前記爆発薬へ伝火させる着火孔を外周側面に設け、前記中筒は、前記着火薬の火炎を通過させ爆発薬に伝火させる着火孔を外周側面に設けていることを特徴とする。
【００１４】
請求項９に係る発明は、請求項８記載のスタングレネードにおいて、前記着火薬筒の着火孔と前記中筒の着火孔は、着火孔覆い部材で封止されていることを特徴とする。
請求項１０に係る発明は、請求項１ないし請求項３の何れか記載のスタングレネードにおいて、前記筒体の底部には、外周が筒体の内周側面に当接し、中央部に前記中筒の底部側外周を挿入することのできる領域を有するスペーサが配置されていることを特徴とする。
【００１５】
請求項１１に係る発明は、請求項１ないし請求項３の何れか記載のスタングレネードにおいて、前記点火構成部は、雷管部と、延期薬を収容して雷管部に隣接して配置されるとともに着火薬筒側の外側壁に凹部を形成して成る延期薬部と、この延期薬部に組み付けられるとともに前記爆発薬を着火させる着火薬を収容する着火薬筒とで構成され、前記着火薬筒は、一端部内に前記延期薬部の凹部側を挿入するとともに、該凹部との重合部が固定されていることを特徴とする。
【００１６】
（作用）
安全装置を取り除いて、安全装置に連動して撃針が点火構成部の雷管（点火部）に激突すると、雷管が発火（作動）し、雷管と隣接する延期薬に着火し、この延期薬の一定延期秒時後に、延期薬と隣接する着火薬に点火する。
次に、この着火薬の燃焼で爆発薬（発音薬または発音薬と発光薬）に着火し爆発薬が燃焼する。
また、着火薬から爆発薬への燃焼伝搬においては、着火薬が燃焼すると、発生した高温ガスと熱粒子は着火薬筒の着火孔から中筒内に噴出し中筒に充満する。この発生した高温ガスの充満により、中筒内の圧力が高くなると中筒の着火孔から高温ガスと熱粒子が爆発薬室内に噴出する。
【００１７】
そして、この爆発薬の燃焼で急激的に圧力が発生し爆発薬を収容する筒体を破断し、弾殻部から強烈な音（爆発音）・光（閃光）が放出される。
また、爆発薬の燃焼により、弾殻部内部に収容される筒体等の構成部品が破片化するが、この破片化したものは、弾殻部の無数の光放出孔によって捕捉され外（大気中）へ放出されない。
【００１８】
これは、弾殻部に形成された無数の光放出孔の目の大きさによって、破片物（破断物）の捕捉が規制されるためである。
この放出されない方法の一例として、弾殻部のほとんどを金網で成形して、さらに点火構成部にしっかり組み付ける方法がある。
そして、この弾殻部は、例えば、図１に示すように縦長の筒状体に構成されているが、弾殻部側周面は弾殻部底面より、光放出孔の領域（面積）が格段に広い。
【００１９】
これにより、爆発薬が燃焼して生じた燃焼ガスや弾殻部内部に収容される筒体等の構成部品の飛散物は、弾殻部側周面に大半は集中するため側周面に応力が働き、図３に示すように弾殻部底面部と点火構成部との距離が縮まり、弾殻部が変形する。
また、弾殻部の金網は破壊（破断）されることがないので、弾殻部内部に収容される筒体等の構成部品の破片のほとんどを内部に捕捉することが可能となる。
【００２０】
また、弾殻部の側周面部は底面部より、光放出孔の領域（面積）が格段に広く、光放出孔が側周面部全周に等しく形成されるので、燃焼圧力の多くが、この側周面全周から放出されるので弾け飛ぶことがほとんどない。
また、発音薬と発光薬とを隣接して配置しているので、着火薬からの着火の順は発音薬が先に着火し次に発光薬が着火されるようになる。このため、先ず発音薬が燃焼して音と光を発生するが、発光薬は発音薬より僅かな時間遅れで燃焼を開始する。その際、発音薬の燃焼ガスは発光薬を吹き飛ばすため、発光薬は弾殻内の空間を飛び散りながら燃焼し続け発光するので、従来の発光時間より長い発光を持続できるようになる。
【００２１】
また、粉状の発音薬と錠剤状の発光薬とを混合しているので、着火薬からの火炎によりほぼ同時に発音薬と発光薬が燃焼するようになる。このため、同時に音と光を発するが、発音薬は粉状であり、表面積が錠剤状の発光薬に比べ小さいので発音薬が先に燃焼し完了するが、錠剤状の発光薬は、発音薬の燃焼完了後も、発光薬の燃焼バラツキや未燃焼薬が無く、弾殻内の空間を飛び散りながら燃焼し続け発光を持続する。
【００２２】
【発明の実施の形態】
以下、本発明の実施形態を図面に基づいて説明する。
（第一実施形態）
図１〜図３は、本発明の第一実施形態に係るスタングレネードＡを示す（請求項１〜請求項５に対応する）。
本実施形態に係るスタングレネードＡは、安全ピン２、安全リング３および安全レバー４を有する安全装置１と、雷管部１１、延期薬部１２および着火薬１３ａを有する金属製の点火構成部（信管組立体）１０と、着火薬１３ａを装填し点火構成部１０に組み付ける着火薬筒１３と、着火薬筒１３を挿入する中筒１４と、音（爆発音）と光（閃光）を発生させる爆発薬（発音薬２１、発光薬２２）２０と、この爆発薬２０を収容する筒体２３と、この筒体２３を固定するホルダー部２４と、このホルダー部２４に組み付けるフランジ部２５と、このフランジ部２５に組み付け筒体２３を収容する弾殻部３０と、この弾殻部３０の全てを覆う防湿フイルム３１とで構成されている。
【００２３】
安全装置１は、図２に示すように、従来のスタングレネードと同様の構成を取っている。
安全ピン２は、図１に示すように、安全リング３に取り付けてある。安全ピン２は、安全レバー４を点火構成部１０に組み付けることによって、後述するように、撃針５を雷管１１ａに激突させるためのコイルばね６を押し付けた状態に保持するものである。コイルばね６は、点火構成部１０に軸１０ａ３を介して取り付けられている。コイルばね６の一端６ａは点火構成部１０の壁部に当接し、他端６ｂは撃針５を取り付けた保持部材７に当接している。
【００２４】
安全レバー４は、ほぼＬ字状に折り曲げられた金属製の板材から成り、円弧状に折り曲げられた二股形状の先端側４ａと、安全ピン２を挿入するための孔４ｃを有する舌片４ｂを備えている。
安全レバー４は、円弧状に折り曲げられた二股形状の先端側４ａを点火構成部１０に設けたピン１０ａ１に回動自在に組み付けるとともに、舌片４ｂに設けた孔４ｃと点火構成部１０に設けた孔１０ａ２との孔位置を一致させた状態で安全ピン２を挿入することによって、点火構成部１０に組み付けられる。従って、安全ピン２を安全リング３を介して引っ張ると、安全レバー４がコイルばね６の戻り力により回動し、同時に撃針５が雷管１１ａに激突する。
【００２５】
点火構成部（信管組立体）１０は、撃針５によって発火する雷管１１ａを収容した雷管部１１と、この雷管部１１に隣接して配置した延期薬部１２と、この延期薬部１２の下方に配置した着火薬筒１３とで一体的に構成されている。
延期薬部１２に圧填される延期薬１２ａとしては、クロム酸バリウム／過塩素酸カリウム／ジルコニウム／ニッケル等の組成物がある。
【００２６】
着火薬筒１３に装薬される着火薬１３ａとしては、ボロン／硝酸カリウム等の組成物の粉体がある。
発音薬２１としては、過塩素酸カリウムあるいは塩素酸カリウムと、金属粉（例えば、チタン、アルミニウム、マグネシウム)との混合薬がある。本実施形態では、アルミニウム／過塩素酸カリウム等の組成物の粉体を装薬している。発音薬としては、従来、発光発音組成物として上述の２成分に、硫化アンチモンを混合あるいは硫化アンチモンと硫黄とを混合したものが用いられているが、近年、上述の２成分と、硫化アンチモンあるいは硫化アンモンと硫黄との混合薬は危険性が高く使用が控えられている。
【００２７】
発光薬２２としては、マグネシウム／硝酸ナトリウム、マグネシウム／硝酸カリウム等の組成物の粉体がある。
筒体２３は、板厚１ｍｍのチップボード紙を用いた両端側が開口する円筒体２３ａと、この円筒体２３ａの一方の開口を閉塞する底部２３ｂで構成されている。
底部２３ｂは、板厚２ｍｍのチップボード紙を用いた円盤２３ｃと、この円盤２３ｃの中央部平面上に接着された板厚３ｍｍのチップボード紙を用いた小径円盤２３ｄとで構成されている。
【００２８】
筒体２３の開口部側は、外周面をホルダー部２４の開口部２４ａの内周面に嵌挿し、ホルダー部２４側に塗布されているエポキシ樹脂系の接着剤によって固定される。
筒体２３は、内部に収容する爆発薬２０の吸湿を防止するため、筒体２３の外周表面をパラフィンでコーティングの処理を施している。
筒体２３は、その内部に下から順に発音薬２１と発光薬２２が収容される。筒体２３内の中央部には着火薬筒１３を収容して発音薬２１および発光薬２２との隔壁となる中筒１４が配置されており、この中筒１４の上方には延期薬１２ａを有する点火構成部１０の一部が収容されている。
【００２９】
発光薬２２の上部には、１ｍｍのチップボード紙を用いて円盤型の蓋２７を被せるように配置している。
弾殻部３０は、ステンレス製の平織り金網を成型器で成形した有底筒状体で構成されている。網目は、この場合、１ｍｍの鋼線を用い、２５．４ｍｍ（６メッシュ）である。この網目が、無数の光放出孔３０ａを構成する。
【００３０】
弾殻部３０の開口外周面は、フランジ部２５に形成される環状縁溝部２５ａに嵌挿して固定されている。
この固定方法は、環状縁溝部２５ａの縁部を円周上にカシメても良いし、また、縁部を円周上にロウ付け等して溶接することでも良い。
フランジ部２５は、アルミニウム製または鉄製であり、一側端に弾殻部３０を固定する環状縁溝部２５ａを形成し、また中央開口部２５ｂにはホルダー部２４の一側開口部を挿入し互いに螺合することができる貫通穴が形成されている。
【００３１】
ホルダー部２４は、アルミニウム製または鉄製であり、一側開口部に筒体２３を挿入し固定保持する保持部を形成し、さらに、他側開口部に信管組立体の一部である着火薬筒１３および延期薬部１２を介して点火構成部１０と互いに螺合することができる貫通穴２４ｂが形成されている。
防湿フイルム３１は、ポリエステル等の材質で熱収縮性を有するフイルムである。防湿フイルム３１は、弾殻部３０全周からフランジ部２５の環状縁溝部２５ａが形成される側周面にわたって覆うとともに、ドライヤー等の熱風により収縮して、覆い部分と密着固定されている。
【００３２】
次に、本実施形態に係るスタングレネードＡの作用を説明する。
安全装置１の解除により、撃針５が点火構成部１０の雷管１１ａを発火し、延期薬１２ａに着火すると、延期薬１２ａの一定延期秒時後に着火薬筒１３内の着火薬１３ａに点火する。
この点火による燃焼炎で着火薬筒１３と中筒１４が破断し、爆発薬２０である発音薬２１と発光薬２２に着火し燃焼させる。その際、着火薬筒１３の底部から破断して先に発音薬２１に着火し、続けて発光薬２２に着火し燃焼させる。
【００３３】
そして、この着火燃焼で急激的に圧力が発生し、筒体２３を全面的に破断し、弾殻部３０に形成される光放出孔３０ａから防湿フイルム３１を破り全面的に音（爆発音）と光（閃光）が放出される。
この際、弾殻部３０を覆う防湿フイルム３１は、爆発薬２０から発生する高温高圧のガス圧力により、溶融と破断が生じると考えられる(複合的な作用)。しかし、爆発薬の燃焼は、瞬時であり、仮に、爆発薬の燃焼温度が金網の融点以上であっても、爆発薬の燃焼時間は数ｍsecであるから、ステンレス製の金網が溶ける時間をもつことなく外へ出るので、金網の機能を失うことはない。
【００３４】
また、弾殻部３０の光放出領域は、弾殻部３０の側周面の総面積と弾殻部３０の底面の総面積とが、この場合、約７対３の割合で構成されているので、爆発薬２０の燃焼圧力は弾殻部３０の側周面方向へ多く（大きく）かかる。
これによって、図３に示すように、弾殻部３０の側周面は応力で外側方向へ伸び、弾殻部３０の底面と点火構成部１０との距離が縮み、弾殻部３０がつぶれるような形状に変形する。
【００３５】
この変形した弾殻部３０によって、アルミニウム製の着火薬筒１３や中筒１４等の金属破片のほとんどが捕捉され弾殻部３０の外へ放出されない。
また、たとえこの弾殻部３０から放出される破片が生じたとしても、この破片は、その大きさが、弾殻部３０の光放出領域の網目によって規制されるので、破片のエネルギーは小さく、人体に肉体的損傷を加えることは非常に少ない。
【００３６】
また、金網により構成される弾殻部３０は、その全周にわたり光の放出領域を有しているので、爆発薬（発音薬２１と発光薬２２）２０の燃焼による光（閃光）が広範囲に広がる。そして、この場合の発音は１８０ｄＢ（デシベル）で発光は２００万ｃｄ（カンデラ）であった。
ここで、発音のレベルの範囲は、１５０ｄＢ〜１９０ｄＢ程度、発光のレベルの範囲は、１００万ｃｄ〜５００万ｃｄ程度である。
【００３７】
また、弾殻部３０の光・音の放出領域が、底面よりも側周面がより広い面積で分布しているので、燃焼圧力の多くは弾殻部３０の側周面からほぼ均等に放出される。そのため、スタングレネードＡが弾け飛ぶことが非常に少ない。
また、発音薬２１と発光薬２２とを隣接して配置しているので、着火薬１３ａからの着火の順は発音薬２１が先に着火し、次に発光薬２２が着火されるようになる。
【００３８】
このため、先ず発音薬２１が燃焼して音と光を発生するが、発光薬２２は発音薬２１より僅かな時間遅れで燃焼を開始する。その際、発音薬２１の燃焼ガスは発光薬２２を吹き飛ばすため、発光薬２２は弾殻部３０内の空間を飛び散りながら燃焼し続け発光するので、従来よりも長い発光を持続できるようになる。
（第二実施形態）
図４は、本発明の第二実施形態に係るスタングレネードＢを示す（請求項１〜請求項５に対応する）。
【００３９】
本実施形態に係るスタングレネードＢは、第一実施形態に係るスタングレネードＡと基本的には同じ構成となっているので、第一実施形態と同じ構成部の説明は省略し、異なる構成部の説明を行う。
第一実施形態では、筒体２３に収容する発光薬２２と発音薬２１を弾殻部３０の軸長方向へ仕切を介して縦列に配置しているが、本実施形態では、これらは発光薬２２と発音薬２１を弾殻部３０の軸長方向と交差する円周方向へ仕切２９を介して並列に配置している。
【００４０】
これを具体的に説明する。先ず、筒体２３の中央に着火薬筒１３を収容する中筒１４を配置し、この中筒１４の上から被せるようにして板厚１ｍｍのチップボード紙で形成された両端が開口する円筒体の仕切２９を挿入する。
次に、中筒１４と円筒体の仕切２９との間に粉体の発音薬２１を装薬する。
次に、筒体２３と円筒体の仕切２９との間（発音薬に隣接する）に粉体の発光薬２２を装薬する。
【００４１】
次に、筒体２３の一側開口部側から、板厚２ｍｍのチップボード紙を用いた中心部に中筒１４を通すことのできる貫通穴を有する円盤型蓋２８を挿入し被せる。
次に、本実施形態に係るスタングレネードＢの作用を説明する。
安全装置１の解除により、撃針５が点火構成部１０の雷管１１ａを発火し、延期薬１２ａに着火すると、延期薬１２ａの一定延期秒時後に着火薬筒１３内の着火薬１３ａに点火する。
【００４２】
この点火による燃焼炎で着火薬筒１３と中筒１４が破断し、爆発薬２０である発音薬２１と発光薬２２が着火燃焼する。
そして、この着火燃焼で急激的に圧力が発生し、筒体２３を全面的に破断し弾殻部３０に形成される光放出孔３０ａから防湿フイルム３１を破り全面的に音（爆発音）と光（閃光）が放出される。
【００４３】
ところで、本実施形態では、第一実施形態の発音薬２１と発光薬２２が縦列で配置装薬されているものを、発音薬２１と発光薬２２を並列に配置装薬したものであるから、着火薬１３ａの燃焼炎により先ず発音薬２１が燃焼して音と光を発生するが、発光薬２２は発音薬２１より僅かな時間遅れで燃焼を開始する。
その際、発音薬２１の燃焼ガスは発光薬２２を吹き飛ばすため、発光薬２２は弾殻３０内の空間を飛び散りながら燃焼し続け発光するので、従来の発光時間より長い発光を持続できるようになる。
【００４４】
また、これら爆発薬２０を弾殻部３０の円周方向に並列に配置装薬しているので、燃焼炎は筒体２３の側周面の全周から弾殻部３０の側周面方向へ放出され、燃焼圧力による推力の発生が非常に少なく、弾け飛ぶことがより少なくなる。
（第三実施形態）
図５は、本発明の第三実施形態に係るスタングレネードＣを示す（請求項１〜請求項４に対応する）。
【００４５】
本実施形態に係るスタングレネードＣは、第一実施形態および第二実施形態に係るスタングレネードＡ，Ｂのように、爆発薬２０を仕切るのではなく、発音薬(粉状)２１に発光薬２２をφ４ｍｍの錠剤状にして混合したものである。
その他の構成は、両実施形態と同じであるから、その説明は省略する。
次に、本実施形態に係るスタングレネードＣの作用を説明する。
【００４６】
安全装置１の解除により、撃針５が点火構成部１０の雷管１１ａを発火し、延期薬１２ａに着火すると、延期薬１２ａの一定延期秒時後に着火薬筒１３内の着火薬１３ａに点火する。
この点火による燃焼炎で着火薬筒１３と中筒１４が破断し、爆発薬２０である発音薬２１と発光薬２２が着火燃焼する。
【００４７】
そして、この着火燃焼で急激的に圧力が発生し、筒体２３を全面的に破断し弾殻部３０に形成される光放出孔３０ａから防湿フイルム３１を破り全面的に音（爆発音）と光（閃光）が放出される。
本実施形態によれば、粉状の発光薬２２を用いた場合と比較して、発光薬２２を錠剤状にすることにより、発光薬２２の密度が粉状より高くなるため、燃焼時間が長くなり、発光の持続時間が多少長くなった。
【００４８】
また、粉状の発光薬２２の場合における発光時間のバラツキが少なくなった。
（第四実施形態）
図６は、本発明の第四実施形態に係るスタングレネードＤを示す（請求項１〜請求項４、請求項７〜請求項１１に対応する）。
本実施形態に係るスタングレネードＤは、第一実施形態ないし第三実施形態に係るスタングレネードＡ，Ｂ，Ｃにおける中筒１４を有底状の筒体に一体形成し、また、着火薬筒１３と中筒１４にそれぞれ着火孔１６ａ，１６ｂを設けた点で、第一実施形態ないし第三実施形態に係るスタングレネードＡ，Ｂ，Ｃとは相違する。
【００４９】
その他の構成は、上述の実施形態と同じであるから、その説明は省略し、本実施形態における特徴部分について説明する。
着火薬筒１３は、一側が開口し他側に底部を有する有底筒状体のアルミニウム製の金属容器であり、外周側面部には爆発薬２０を着火するための着火孔１６ａが図７に示すように千鳥状に４箇所穿設され、着火孔１６ａを覆設する紙粘着テープ１５ａが巻着されている。
【００５０】
そして、この着火薬筒１３内に、一側開口部から着火薬１３ａが所定の薬量を填薬される。
延期薬部１２は、その下方の外周側面に、円周方向に２箇所の凹状加工１７（凹状形成部）が施されている。
そして、前記装薬された着火薬筒１３は、この着火薬筒の一側開口部から延期薬部１２の凹状形成部１７へ挿入され、延期薬部１２の凹部形成部１７と着火薬筒１３とが重なった部位で、着火薬筒の外側周囲から巻締機により巻き締めて固定する。
【００５１】
中筒１４は、一側が開口し他側に底部を有する有底筒状体のアルミニウム製の金属容器であり、外周側面部には爆発薬２０を着火するための着火孔１６ｂが図８に示すように千鳥状に４箇所穿設され、着火孔１６ｂを覆設する紙粘着テープ１５ｂが巻着されている。また、着火薬筒の着火孔１６ａと、中筒の着火孔１６ｂとは、それぞれの着火孔が同軸上に合うように配置されている。
【００５２】
本実施形態では、発音薬(粉状)２１に発光薬２２をφ４ｍｍの錠剤状にして、これら混合したものを用いた。
筒体２３は、板厚１ｍｍのチップボード紙を用いた両端側が開口する円筒体２３ａと、この円筒体２３ａの一方の開口を閉塞する底部２３ｂとで構成されている。
また、底部２３ｂは、板厚２ｍｍのチップボード紙を用いた円盤状であり、この円盤状底部２３ｂを円筒体２３ａの内周壁面に緊合し接着剤により接着して開口を閉塞している。
【００５３】
また、筒体２３の内部に収容する爆発薬２０の吸湿を防止するため、筒体２３の外周表面をパラフィンでコーティングの処理を施している。
そして、筒体２３の開口部側は、外周面をホルダー部２４の開口部２４ａの内周面に嵌挿し、ホルダー部２４側に塗布されているエポキシ樹脂系の接着剤によって固定される。
【００５４】
筒体２３は、その内部に発音薬２１と発光薬２２が混合して収容される。筒体２３内の中央部には着火薬筒１３を収容して発音薬２１および発光薬２２との隔壁となる中筒１４が配置されており、この中筒１４の上方には延期薬１２ａを有する点火構成部１０の一部が収容されている。
また、筒体２３の内側底部には、中央部に中筒１４が挿入される領域を有すると共に略環状に形成されるスペーサ１８と、このスペーサ１８の上に配置され中央貫通孔を有すると共に環状に形成される隔壁板１９とが、前記中筒１４を、前記筒体２３の中心位置に配するように配置されている。そして、これらスペーサ１８と隔壁板１９は、外径が筒体の内周に、内径が中筒の外周に、それぞれが嵌合している。その際、スペーサ１８と隔壁板１９とは接着剤により固定される。
【００５５】
また、スペーサ１８の材質は、特に限定はしないが軽量のものが望ましく、特には、ダンボール紙に使用されている波板状のクッション材を環状に成形したものが好ましい。隔壁板の材質は、１ｍｍのチップボード紙を用いて円盤状に形成した。
そして、爆発薬２０の上部には、１ｍｍのチップボード紙を用いて円盤型の隔壁板２７を被せるように配置し、外形が筒体２３の内周に内径が中筒１４の外周に嵌合する。
【００５６】
これらにより、スペーサ１８は、爆発薬を収容する筒体内部の空隙を調節することが可能となる。
防湿フイルム３１は、ポリエステル等の材質で熱収縮性を有するフイルムである。この防湿フイルム３１は、弾殻部３０全周からフランジ部２５の環状縁溝部２５ａが形成される側周面及び上端面まで覆っており、ドライヤー等の熱風により収縮させる。そして、防湿フイルムの、フランジ部上端面へ覆った部分が、ホルダーと挟着し固定される。
【００５７】
次に、本実施形態に係るスタングレネードＤの作用を説明する。
安全装置１の解除により、撃針５が点火構成部１０の雷管１１ａを発火し、延期薬１２ａに着火すると、延期薬１２ａの一定延期秒時後に着火薬筒１３内の着火薬１３ａに点火する。
この点火による燃焼炎で着火薬１３ａが燃焼すると、発生した高温ガスと熱粒子は着火孔１６ａ（図７）に巻着されているテープ１５ａを突き破り着火孔から中筒内に噴出し中筒１４に充満する。
【００５８】
そして、中筒内の圧力が高くなると、この高温ガスと熱粒子は中筒１４の着火孔１６ｂ（図８）に巻着されているテープ１５ｂを破断して爆発薬室内に噴出する。
この爆発薬室内には、粉状の発音薬２１と錠剤状の発光薬２２とが混合して配置されており、着火孔１６からの集中した燃焼炎により、これら発音薬２１と発光薬２２は同時に燃焼を開始する。
【００５９】
そして、この爆発薬の燃焼で急激的に圧力が発生し、筒体２３を全面的に破断し弾殻部３０に形成される光放出孔３０ａから防湿フイルム３１を破り全面的に音（爆発音）と光（閃光）が放出される。
本実施形態によれば、発音薬は粒状であり表面積が錠剤状の発光薬に比べ小さいので、発音薬が先に燃焼を完了するが、発光薬は表面積が発音薬に比べ大きいので発音薬の燃焼終了後も燃焼が持続し発光を持続する。
【００６０】
また、粉状の発音薬２１と錠剤状の発光薬２２とを混合しているので、着火薬からの火炎によりほぼ同時に発音薬と発光薬が燃焼して音と光を発する。
このため、錠剤状の発光薬の燃焼バラツキや未燃焼薬は無くなると共に所定の光度を得ることができる。
そして、発音薬は粉状であり、表面積が錠剤状の発光薬に比べ小さいので発音薬が先に燃焼し完了するが、錠剤状の発光薬は、発音薬の燃焼完了後も、弾殻内の空間を飛び散りながら燃焼し続け発光する。
【００６１】
図９は、本発明の第五実施形態に係るスタングレネードＥを示す（請求項１〜請求項３に対応する）。
本実施形態に係るスタングレネードＥは、演習用（練習用）に使用できるように構成したものである。なお、第一実施形態〜第四実施形態に係るスタングレネードＡ〜Ｄは、実戦に用いる構成とした。
【００６２】
なお、本実施形態に係るスタングレネードＥは、前述のスタングレネードＡ〜Ｄと基本的には同じ構成となっているので、これらと同じ構成部の説明は省略し、異なる構成部の説明を行う。
実戦用との基本的な考え方の違いは、演習用（訓練用）に用いるので、制圧するような大きなダメージを与える燃焼圧力の必要性はなく、同じ作用効果（音、光等）を体験できることで良い。
【００６３】
そのためには、発音薬と発光薬の薬量を調整することで可能となる。
第一実施形態〜第四実施形態に係るスタングレネードＡ〜Ｄでは、筒体２３に発光薬２２と発音薬２１を所定量装薬しているが、本実施形態では、筒体２３を取り除き、点火構成部１０の一部である着火薬筒１３の中に、着火薬１３ａ、発音薬２１および発光薬２２を装薬する。
【００６４】
この場合、着火薬筒１３の底部から順に、発音薬２１と発光薬２２との混合薬を、その上に着火薬１３ａを配置する。
次に、本実施形態に係るスタングレネードＥの作用を説明する。
安全装置１の解除により、撃針５が点火構成部１０の雷管１１ａを発火し、延期薬１２ａに着火すると、延期薬１２ａの一定延期秒時後に着火薬筒１３ａ内の着火薬１３ａに点火し続いて発音薬２１と発光薬２２との混合薬が着火燃焼する。
【００６５】
この燃焼炎で着火薬筒１３が破断し、急激的に圧力が発生して、弾殻部３０に形成される光放出孔３０ａから防湿フイルム３１を破り全面的に音と光（閃光）が放出される。
また、弾殻部３０の放出領域は、弾殻部３０の側周面の総面積と弾殻部３０の底面の総面積とが、この場合、約７対３の割合で構成されているので、爆発薬２０の燃焼圧力は弾殻部３０の側周面方向へ多く（大きく）かかる。
【００６６】
これによって、弾殻部３０の側周面は応力で外側方向へ伸び、弾殻部３０の底面と点火構成部１０との距離が縮み、弾殻部３０がつぶれるような形状に変形する。
この変形した弾殻部３０によって、アルミニウム製の着火薬筒１３等の金属破片のほとんどが捕捉され弾殻部３０の外へ放出されない。
また、たとえこの弾殻部３０から放出される破片が生じたとしても、この破片は、その大きさが、弾殻部３０の放出領域の網目によって規制されるので、破片のエネルギーは小さく、人体に肉体的損傷を加えることは非常に少ない。
【００６７】
また、金網により構成される弾殻部３０は、その全周にわたり光の放出領域を有しているので、爆発薬（発音薬２１と発光薬２２との混合薬）２０の燃焼による光（閃光）が広範囲に広がる。
また、弾殻部３０の光・音の放出領域が、底部よりも側周面がより広い面積で分布しているので、燃焼圧力の多くは弾殻部３０の側周面からほぼ均等に放出される。
【００６８】
そのため、スタングレネードＥが弾け飛ぶことが非常に少ない。
なお、第一実施形態〜第四実施形態においては、手投げ弾式の構成で述べたが、スタングレネードの使用状況によっては、小銃等に装着して所定の距離を飛ばして作動させることも想定できるので、雷管部等による点火作動方法（点火構成部）は適宜変更できることは言うまでもない。
【００６９】
また、本発明は、従来のスタングレネードの弾殻体を金網などに置き換えることも可能である（請求項２に相当）。この場合にも、爆発薬の機能を除き、上述の実施形態と同様の作用効果を奏することが可能となる。
（実験例１）
発光薬の効果を確認するため、図１２に示すように、発音薬のみ有するタイプ１（発光薬無し）の供試品を３個と、発音薬および発光薬を有するタイプ２（発光薬有り）の供試品を３個用意した。
【００７０】
これら各供試品は、図１に示すように、筒体内に装薬される爆発薬（発音薬または発音薬および発光薬）を、ホルダー部に嵌合固定して第一実施形態のスタングレネードＡを作成した。
また、タイプ１は、タイプ２の発光薬の装薬部にコルクを配置した。ここで、コルクは、発光薬の空間を埋めるために使用された。
【００７１】
第一実施形態に係るスタングレネードＡを設置場所に固定し安全装置１を遠隔操作で解除し、点火作動させ爆発薬を燃焼させて発光持続時間の変化を測定した。その結果を表１にまとめた。
また、発光持続時間は図１０に示すように、供試品から３ｍ程の所に測定器を配置して、照度計の出力波形を記録計に記録紙し、出力波形から図１１に示す方法で半減期の時間を算出し、発光薬の効果を比較した。
【００７２】
表１の結果から、発光薬を装薬したタイプ２は半減期はいずれも発光薬無しのタイプ１より長く発光持続時間が長くなることが確認できた。
【表１】
0003939940.tif 000002
（実験例２）
第四実施形態に係るスタングレネードＤの音圧と光度を確認するため、このスタングレネードＤを５個用意した。
【００７３】
これら５個のスタングレネードＤを設置場所に固定し安全装置１を遠隔操作で解除し、点火作動させ爆発薬を燃焼させて、照度計及び音圧測定センサーにより、光度と音圧を測定した。
その結果を表２にまとめた。
表２の結果から、光度が表１より高くなることが分かった。
【００７４】
【表２】
0003939940.tif 000003
（実験例３）
スタングレネード作動時、弾殻部および弾殻部を組み付ける点火構成品が飛散しないことと、弾殻部内部の構成品が破片化されても弾殻部の外へ飛散しないことを確認するために、図１３に示す破片飛散確認試験方法で第一実施形態に係るスタングレネードＡを固定しないで設置し、安全装置１を遠隔操作で解除し、点火作動させ爆発薬を燃焼させて破片の飛散の有無を試験した。
【００７５】
また、このスタングレネードＡの周囲には、スタングレネードＡの中心点から２７０°、半径３ｍのところに、高さ２ｍのチップボードが張り巡らされている。
試験後、前記チップボードの貫通孔、打痕の状況を調べた結果、チップボードに貫通孔や打痕はなく、弾殻部の破片の捕捉効果が優れていることが確認できた。
また、８ｍｍビデオの撮影画像からスタングレネードは作動時に弾け飛ぶこともなく、最初の位置に留まっていることも確認した。
【００７６】
【発明の効果】
以上述べたように、本発明によれば、音（爆発音）、光（閃光）を発生するとともに破片化された内部構成品を弾殻部で捕捉し外へ飛散させることがない。
また、弾殻部において、音（爆発音）、光（閃光）の放出領域（面積）を広くすることができる。
また、点火構成部および弾殻部等を含めたスタングレネード構成品が弾け飛ぶことがないので人体に肉体的損傷を加えるおそれがない。
【００７７】
また、発音薬と発光薬とを所定領域に配置するので、光（閃光）の持続時間等を調整できる。
また、弾殻部自体を従来より軽量化することができる。
【図面の簡単な説明】
【図１】本発明の第一実施形態に係るスタングレネードＡを示す全体図である。
【図２】本発明の第一実施形態に係るスタングレネードＡにおける安全装置を示す拡大断面図である。
【図３】本発明の第一実施形態に係るスタングレネードＡの作動時の状態をを示す全体図である。
【図４】本発明の第二実施形態に係るスタングレネードＢを示す全体図である。
【図５】本発明の第三実施形態に係るスタングレネードＣを示す全体図である。
【図６】本発明の第四実施形態に係るスタングレネードＤを示す全体図である。
【図７】本発明の第四実施形態に係るスタングレネードＤの着火薬筒を示す断面図である。
【図８】本発明の第四実施形態に係るスタングレネードＤの中筒を示す断面図である。
【図９】本発明の第五実施形態に係るスタングレネードＥを示す全体図である。
【図１０】実験例に用いた発光持続時間測定試験器の配置図である。
【図１１】実験例に用いた半減期時間算出方法を示す説明図である。
【図１２】実験例に用いた供試品の構成図である。
【図１３】実験例に用いた破片飛散確認試験器材の配置図である。
【符号の説明】
Ａ，Ｂ，Ｃ，Ｄ，Ｅ  スタングレネード
１  安全装置
２  安全ピン
３  安全リング
１０  点火構成部（信管組立体）
１１  雷管部
１１ａ  雷管
１２  延期薬筒（延期薬部）
１２ａ  延期薬
１３  着火薬筒
１３ａ  着火薬
１４  中筒
１６  着火孔
１７  凹部
１８  スペーサ
１９  隔壁板
２０  爆発薬
２１  発音薬
２２  発光薬
２３  筒体
２４  ホルダー部
２５  フランジ部
３０  弾殻部
３０ａ  光放出孔
３１  防湿フイルム
【図１】
0003939940.tif 000004
【図２】
0003939940.tif 000005
【図３】
0003939940.tif 000006
【図４】
0003939940.tif 000007
【図５】
0003939940.tif 000008
【図６】
0003939940.tif 000009
【図７】
0003939940.tif 000010
【図８】
0003939940.tif 000011
【図９】
0003939940.tif 000012
【図１０】
0003939940.tif 000013
【図１１】
0003939940.tif 000014
【図１２】
0003939940.tif 000015
【図１３】
0003939940.tif 000016